【事件の表示】
　特許第３１８７８４６号「界面活性剤組成物」の請求項１ないし６に係る特許に対する特許異議の申立てについて、次のとおり決定する。
【結　論】
　訂正を認める。
　特許第３１８７８４６号の請求項１ないし３に係る特許を維持する。
【理　由】
１．手続の経緯  
　本件特許第３１８７８４６号の請求項１ないし６に係る発明は、１９９７年１２月２日（パリ条約による優先権主張１９９６年１２月２日、日本国）を国際出願日として特許出願され、平成１３年５月１１日にその特許権の設定登録がされ、その後、特許異議申立人阪本有紀より特許異議の申立てがなされ、取消しの理由が通知され、その指定期間内である平成１５年７月４日に訂正請求（後日取下げ）がなされ後、再度の取消しの理由が通知され、その指定期間内である平成１５年９月２９日に訂正請求がなされたものである。
２．訂正の適否についての判断
Ｉ．訂正の内容　
　本件訂正請求は、訂正請求書に添付した訂正明細書のとおりに訂正することを求めるものであり、その訂正の内容は次のとおりである。
（１）訂正事項ａ
（ア）本件特許発明の明細書中特許請求の範囲の請求項１に係る記載において、「水と式（１）で表される化合物との合計量に対する式（１）で表される化合物の配合割合が５０重量％以上で、」とあるのを、「式（１）で表される化合物の含有量と水の含有量とが下記式（２）及び（３）を満足し、」及び
「５０≦Ｃ≦９０　（２）
　Ｃ≧〔１０（ｎ−ｙ）−３５〕　（３）
上記式（２）及び（３）中、Ｃは式（５）で表される値を示し、ｎは一般式（１）におけるＲで示されるアルキル基又はアルケニル基の炭素数、ｙは前記の意味を示す。
　　　　Ｗａ
Ｃ＝─────── × １００　（５）
　　　Ｗａ＋Ｗｂ
式（５）中、Ｗａは組成物中の式（１）で表される化合物の含有量（ｗｔ％）、Ｗｂは組成物中の水の含有量（ｗｔ％）を示す。」
と訂正し、
（イ）同請求項１に係る記載において、「式中、Ｒは炭素数１２〜１５の直鎖又は分枝鎖のアルキル基又はアルケニル基を示し、」とあるのを「式中、Ｒは炭素数１２〜１５の直鎖のアルキル基又はアルケニル基を示し、」と訂正し、
（ウ）同請求項１に係る記載において、「ｙはプロピレンオキサイドの平均付加モル数を示す０．５〜６．０の数である。」とあるのを「ｙはプロピレンオキサイドの平均付加モル数を示す１．０〜４．５の数である。」と訂正し、
（エ）同請求項２，４及び５を削除し、
（オ）同請求項６に係る記載が、「請求項１に記載した界面活性剤組成物を含む液体洗浄剤。」であるのを「液体洗浄剤用である請求項１又は２に記載の組成物。」と訂正し、
（カ）同「請求項３」を「請求項２」に訂正し、同「請求項６」を「請求項３」に訂正する。
ＩＩ．訂正の目的の適否、新規事項の追加の有無及び特許請求の範囲の拡張・変更の存否
  上記訂正事項ａの（ア）は、請求項１に記載の界面活性剤組成物での式（１）で表される化合物の含有量と水の含有量の配合割合を限定するものであり、しかも、該限定事項は願書に添付された明細書の発明の詳細な説明（本件特許公報の第３頁６欄２６〜４４行参照）に記載されており、訂正事項ａの（イ）、（ウ）は、いずれも、同界面活性剤組成物での式（１）で表される化合物を限定するものであり、しかも、該限定事項（イ）は願書に添付された明細書の発明の詳細な説明（本件特許公報の第３頁５欄１７〜１８行参照）に、該限定事項（ウ）は願書に添付された明細書の請求項４に記載されており、また、訂正事項ａの（オ）は、請求項１、２に記載の界面活性剤組成物の用途を限定するものであり、しかも、該限定事項は願書に添付された明細書の発明の詳細な説明（本件特許公報の第４頁７欄２６〜２９行参照）に記載されおり、いずれも、特許請求の範囲の減縮を目的とした明細書の訂正に該当し、また、訂正事項ａの（エ）は、上記（ア）〜（ウ）により、実質的に請求項２，４及び５が、請求項１に組み込まれたことによる整合の為、及び訂正事項ａの（カ）は、該（エ）と整合を図るものであるから、それらは、明りょうでない記載の釈明を目的とした明細書の訂正に該当し、訂正事項ａの（ア）〜（カ）は、いずれも、新規事項の追加に該当せず、実質上特許請求の範囲を拡張し、又は変更するものではない。
ＩＩＩ．むすび 
　したがって、上記訂正は、特許法第１２０条の４第２項及び同条第３項において準用する特許法第１２６条第２項及び第３項の規定に適合するので、当該訂正を認める。
　　　　　　　　　　　　　　
３．特許異議の申立てについて
Ｉ．本件発明
　上記２．で示したように上記訂正が認められるから、本件特許第３１８７８４６号の請求項１ないし３に係る発明は、訂正請求書に添付された訂正明細書の特許請求の範囲の請求項１ないし３に記載された以下のとおりのものである（以下、それぞれ「本件発明１ないし３」という。）。
「【請求項１】下記式（１）で表され、特定のアルキレンオキサイド付加モル数及び付加形態を持つ平均分子量１２００以下の化合物及び水を含有する界面活性剤組成物であって、式（１）で表される化合物の含有量と水の含有量とが下記式（２）及び（３）を満足し、かつ２５℃における粘度が１０００ｃｐ以下であることを特徴とする界面活性剤組成物。
ＲＯ−（ＥＯ）ｘ−（ＰＯ）ｙ−（ＥＯ）ｘ′−Ｈ　（１）
式中、Ｒは炭素数１２〜１５の直鎖のアルキル基又はアルケニル基を示し、ＥＯはオキシエチレン基、ＰＯはオキシプロピレン基を示す。ｘ，ｘ′はエチレンオキサイドの平均付加モル数を示す１以上の数である。ｙはプロピレンオキサイドの平均付加モル数を示す１．０〜４．５の数である。尚、（ＥＯ）ｘ、（ＰＯ）ｙ、（ＥＯ）ｘ′はこの順にブロック結合している。
５０≦Ｃ≦９０　（２）
Ｃ≧〔１０（ｎ−ｙ）−３５〕　（３）
上記式（２）及び（３）中、Ｃは式（５）で表される値を示し、ｎは一般式（１）におけるＲで示されるアルキル基又はアルケニル基の炭素数、ｙは前記の意味を示す。
　　　　Ｗａ
Ｃ＝─────── ×１００　（５）
　　　Ｗａ＋Ｗｂ
式（５）中、Ｗａは組成物中の式（１）で表される化合物の含有量（ｗｔ％）、Ｗｂは組成物中の水の含有量（ｗｔ％）を示す。
【請求項２】式（１）において、ｘとｘ′の和が４〜２０である請求項１に記載の組成物。
【請求項３】液体洗浄剤用である請求項１又は２に記載の組成物。」
ＩＩ．異議申立ての理由の概要
　異議申立人阪本有紀は、本件優先権主張日前に頒布されたことが明らかな刊行物である下記甲第１ないし３号証を提示し、本件の訂正前の請求項１ないし６に係る発明は、これら甲各号証の記載から公知公用の発明といえるものであり、または、これら甲各号証に記載された発明に基づいて当業者が容易に発明し得たものであるから、特許法第２９条第１項第１号、２号に該当し、または、同法第２９条第２項の規定により、特許を受けることができないものであるので、本件の訂正前の請求項１ないし６に係る発明の特許は、取り消されるべきである旨主張している。
　　
甲第１号証:米国特許第４１３４８５４号明細書
甲第２号証:特開平２−２２９５３７号公報
甲第３号証:特開平７−１２６６９０号公報
ＩＩＩ．取消理由通知の概要
（１）当審における第１回目の取消理由は、本件優先権主張日前に頒布されたことが明らかな刊行物である下記刊行物（１）ないし（７）を提示し、（ｉ）本件の訂正前の請求項１ないし５に係る発明は該刊行物（１）に記載された発明であり、また、同請求項１ないし６に係る発明は該刊行物（２）に記載された発明であるから、それぞれ特許法第２９条第１項第３号に該当し、特許を受けることができず、または、（ｉｉ）同請求項１ないし６に係る発明は、該刊行物（１）〜（７）に記載された発明に基づいて当業者が容易に発明し得たものであるから、特許法第２９条第２項の規定により特許を受けることができない、というものである。
　　　
刊行物（１）：米国特許第３５６７７８４号明細書
刊行物（２）：特開平２−２２９５３７号公報（甲第２号証と同じ）
刊行物（３）：米国特許第４１３４８５４号明細書（甲第１号証と同じ）
刊行物（４）：米国特許第３７５２８５７号明細書
刊行物（５）：特開昭４７−９５６１号公報
刊行物（６）：特開昭５３−１１３８０５号公報
刊行物（７）：特開平７−９７５９９号公報
（２）当審における第２回目の取消理由は、本件明細書に記載不備があり、特許法第３６条第６項第２号に規定する要件を満たしていない、というものである。
ＩＶ．甲各号証及び引用刊行物に記載された事項
（１）米国特許第３５６７７８４号明細書（刊行物（１））
  刊行物１には、（Ａ）高曇り点と低いゲル化温度という優れた物性を有する、界面活性剤として有益な、炭素数１０〜１５のアルコール混合物の酸化エチレン−酸化プロピレン−酸化エチレン誘導体が記載されており（第１欄第１５行〜２１行）、（Ｂ）該化合物は、次の構造式で示されている（第２欄第２５行〜３８行）。
    ＲＯ−（Ｃ２Ｈ４Ｏ）ｘ−（Ｃ３Ｈ６Ｏ）ｙ−（Ｃ２Ｈ４Ｏ）ｚ−Ｈ　
　　　　　　　　　　　　　　　　　　　　　　　　　　　（Ｉ）
  式中Ｒは、炭素原子１０．５〜１４．５を含むアルキル基、ｘは３．７〜８．４、ｙは２．４〜５．３、ｚは３．７〜７．０で、Ｒ中の炭素原子数の２（ｘ＋ｚ）に対する比は０．５〜０．６５、酸化エチレンと酸化プロピレンの比は、（ｘ＋ｙ）／ｙが２．９〜３．１、ｘはｚ〜１．２ｚである。
そして、（Ｃ）実施例Ｉでは、Ｃ１２、Ｃ１３、Ｃ１４、Ｃ１５の第一アルコールのほぼ等量混合物（ここで、各アルコールの約８０％は直鎖、約１０％はβ−メチル側鎖、残りはβ−エチル、β−プロピル、β−ブチル、β−ブチル側鎖構造をもつ）を酸化エチレン、酸化プロピレン、酸化エチレンと順次反応させ、第１ブロックは平均６−酸化エチレン単位、第２ブロックは平均４−酸化プロピレン単位、第３ブロック即ち末端ブロックは平均６−酸化エチレン単位であるアルコール・アルコキシレート混合物の製法が記載されており（第４欄〜５欄のＥＸＡＭＰＬＥＩ参照）、実施例ＩＩでは、５０／５０ゲル温度の試験溶液として、該アルコール・アルコキシレート混合物（界面活性剤）と水の１：１混合物（界面活性剤組成物）が記載されている（第５欄のＥＸＡＭＰＬＥＩＩ及びＴＡＢＬＥＩ参照）、さらに、実施例ＶＩにも、サンプルＡ（Ｃ１２とＣ１３の第一アルコールのほぼ等量混合物（ここで、各アルコールの約８０％は直鎖、約１０％はβ−メチル側鎖、残りはβ−エチル、β−プロピル、β−ブチル、β−アミル側鎖構造をもつ）と酸化アルキレンの反応物である、第１ブロックの酸化エチレン単位が６、第２ブロックの酸化プロピレン単位が３．７５、第３ブロックの酸化エチレン単位が５．２５であるアルコール・アルコキシレート混合物）の５０／５０ゲル温度の試験溶液（界面活性剤組成物）（第６欄のＥＸＡＭＰＬＥＶＩ及びＴＡＢＬＥＶＩ参照）が記載されている。
（２）特開平２−２２９５３７号公報（刊行物（２）及び甲第２号証）
  刊行物２（甲第２号証）には、（Ｄ）平均式、
Ｒ１’−Ｏ−（Ｃ２Ｈ４−Ｏ）ｘ−（Ｃ３Ｈ６−Ｏ）Ｙ−（Ｃ２Ｈ４−Ｏ）ｚ−Ｈ
　　　　　　　　　　　　　　　　　　　　　　　　　　　　（ＩＩ’）
〔上式中、Ｒ１’は第一イソＣ８−１５アルキルを表し、ｘは１〜４を表し、ｙは１〜５を表し、ｚは１〜９を表す〕
で示される界面活性剤を含有する水で希釈可能な珪素を含まない組成物が記載されており、（特許請求の範囲請求項１、４）、さらに、（Ｅ）該界面活性剤組成物は、洗浄処理液として用いられ、「水系における、特に泡抑制」として使用される（第２頁右上欄第下から３行及び第７頁右下欄下から１４行〜第８頁右下欄９行の適用例Ａ〜Ｃ、Ｇなど参照）ことも記載されている。また、（Ｆ）該組成物は、「さらに少量の成分（ｅ）を含んでいてもよい。本発明の濃厚な組成物は、有利には、組成物の合計重量に対して０〜６重量％、好ましくは１〜５重量％の水（ｅ）を含む。」（第４頁左上欄５行〜９行）ものであり、「いかなる割合においても水で希釈可能であり、そのままでまたはストック溶液に予め希釈されて用いることができ、または所望により他の処理成分とともに補充液に調製される。」（第４頁右下欄１３行〜１７行）ものであることも記載されており、（Ｇ）具体例として、「例３ａ〜３ｅ
１５部の例１に用いた界面活性剤の代わりに下記の界面活性剤１５部を用いて、例１の操作を繰り返した。（なお、例１での水（脱イオン水）は４部である（第６頁右下欄下から２行参照））
例３ａ　式（ＩＩ’）においてＲ１’がイソデシルであり、ｘが２であり、ｙが２であり、ｚが３である界面活性剤
例３ｂ　式（ＩＩ’）においてＲ１’がイソトリデシルであり、ｘが２であり、ｙが４であり、ｚが７である界面活性剤
例３ｃ　式（ＩＩ’）においてＲ１’がイソトリデシルであり、ｘが４であり、ｙが４であり、ｚが４である界面活性剤」が記載されており（第７頁左上欄１２行〜同右上欄４行）、さらに、（Ｈ）それらが、例えば適応例Ａ〜Ｃ、Ｇの如き洗浄処理液に用いられることも記載されている（第９頁左上欄１２行〜末行）。
（３）米国特許第４１３４８５４号明細書（刊行物（３）及び甲第１号証）
　刊行物３（甲第１号証）には、（Ｉ）低流動点を有する非イオン界面活性剤に係る発明が記載されており、その非イオン界面活性剤は、下記式で示される化合物の混合物である旨記載されている（第１欄４４行〜５７行）。
                                                         
Ｒ−（ＯＣＨ２ＣＨ２）ｎ−（ＯＣＨ２ＣＨ（ＣＨ３））ｐ−（ＯＣＨ２ＣＨ２）ｍ−ＯＨ
（式中、ＲはＣ８〜Ｃ２０の直鎖又は分枝鎖のアルキル基、ｎとｍは、ｎ／ｎ＋ｍが０．２〜０．６の範囲内、好ましくは０．３〜０．５の範囲内である２〜１０の値、ｐは、ｐ／ｎ＋ｍが０．１１９〜０．２５の範囲内である０．５〜３の値である）
　そして、（Ｊ）実施例の化合物Ｄとして、上記ＲがＣ１２とＣ１３の混合で、ｎ、ｍが４，ｐが１．５である非イオン界面活性剤および、それを配合した液体洗浄剤の洗浄力試験や泡に係る試験（Ｒｏｓｓ　Ｍｉｌｅｓ泡高試験）が、記載されており、それらが良好である旨も記載されている（第４欄２０行〜第５欄２５行及びＴＡＢＬＥ３）。
４）米国特許第３７５２８５７号明細書（刊行物（４））
　刊行物４には、（Ｋ）低流動点を有する非イオン界面活性剤に係る発明が記載されており、その非イオン界面活性剤は、下記式で示される化合物の混合物である旨記載されている（第１欄５８行〜第２欄１４行）。
　　　　　　　　　　　　　　　
Ｒ−（ＯＣＨ２ＣＨ２）ｎ−（ＯＣＨ２ＣＨ（ＣＨ３））ｐ−（ＯＣＨ２ＣＨ２）ｍ−ＯＨ
　式中、ＲはＣ８〜Ｃ２０の直鎖又は分枝鎖のアルキル基、ｎとｍは、ｎ／ｎ＋ｍが０．２〜０．６の範囲内、好ましくは０．３〜０．５の範囲内である２〜２０の値、ｐは、ｐ／ｎ＋ｍが０．０２〜０．９の範囲内、好ましくは０．０５〜０．４の範囲内である０．５〜２０の値である。
　そして、（Ｌ）実施例の化合物Ｄとして、上記ＲがＣ１２とＣ１３の混合で、ｎ、ｍが４，ｐが１．５である非イオン界面活性剤および、それを配合した液体洗浄剤の洗浄力試験や泡に係る試験（Ｒｏｓｓ　Ｍｉｌｅｓ泡高試験）が、記載されており、それらが良好である旨も記載されている（４欄３行〜７５行）。
（５）特開昭４７−９５６１号公報（刊行物（５））
　刊行物５には、（Ｍ）「組成を式（Ｉ）
Ｒ〔（Ｃ２Ｈ４Ｏ）ｘ（Ｃ３Ｈ６Ｏ）ｙ（Ｃ２Ｈ４Ｏ）ｚ　Ｈ〕ａ　（Ｉ）
（但し式中Ｒは炭素原子８−２４個を有し、少くとも１個の活性水素を有し、置換基を有していてもよい有機化合物の１個の基を表わす
ｘは５乃至１１
ｙは５乃至１８
ｚは５乃至２０
ａは１乃至４
を表わす。）
の化合物の水溶液で洗浄し、且染色を同一溶中で同時に又は引続いて行う事を特徴とする親水性繊維を含有する織物の染色方法。」（第８頁特許請求の範囲）に係る発明が記載されており、そこには、（Ｎ）「得られた生成物は水に溶解して市販され浸水溶液の形、たとえば６０〜７０％濃度で使用することが望ましい。式（Ｉ）の化合物の水溶液は起泡が少いか、あるいは全く泡立たず、酸、石灰および塩類に安定で織物繊維、特に浸染、染前の精練および染物の洗浄に好適である。」（第２頁右下欄１行〜７行）との記載がある。
（６）特開昭５３−１１３８０５号公報（刊行物（６））
　刊行物（６）には、（Ｏ）「１．一般式　ＲＯＨ
（式中、Ｒは炭素数８〜１８のアルキル基であって、その少なくとも３０重量％が直鎖アルキル基である。）
で表わされる飽和脂肪族第一級アルコールに、プロピレンオキサイドとエチレンオキサイドとを、・・・
（ｂ）単独で交互に、それぞれを２回以上に分割して付加反応させるか、
・・・て得られた付加体であって、
飽和脂肪族第一級アルコール１モルに対するプロピレンオキサイドの付加モル数が２〜１０モル、エチレンオキサイドの同付加モル数が５〜２５モルであり、かつプロピレンオキサイド／エチレンオキサイドの付加モル比が（０．２〜０．７）／１であることを特徴とする衣料用液体洗浄剤に適する混合ポリアルキレングリコール型非イオン界面活性剤。
２．飽和脂肪族第一級アルコール１モルに対するプロピレンオキサイドの付加モル数が３〜９モル、エチレンオキサイドの同付加モル数が６〜２２モルであり、かつプロピレンオキサイド／エチレンオキサイド付加モル比が（０．２５〜０．６）／１である特許請求の範囲第１項記載の非イオン界面活性剤。」（第１頁特許請求の範囲）に係る発明が記載されており、そこには、（Ｐ）「本発明のかかる混合ポリアルキレングリコール型非イオン界面活性剤は、その製法などから推測して、・・・プロピレングリコール鎖とエチレングリコール鎖とが実質上交互にブロック状に、しかもそれぞれのブロックが２個所以上に分散されて付加した構造のもの・・・などのものであると考えられる。」（第４頁左上欄１２行〜同頁右上欄３行）、及び（Ｑ）「このように、本発明の混合ポリアルキレングリコール型非イオン界面活性剤は、上記したような特定の方法で付加反応させて得られた特定の付加モル数、特定の付加モル比及び特定のポリアルキレングリコール鎖構造を有するものであって、融点（凝固点）が低く、低温でも液状であり、水溶性及び洗浄力に優れており、かつ殆んど臭気を有しないから、これを主成分として用いた衣料用液体洗浄剤は洗浄力に優れており、多量の溶剤や水などを配合せずとも、すなわち高界面活性剤濃度においても安定な液状であり、特に低温においても凝固や白濁を起さず、かつ臭気の少ない商品価値の優れた洗浄剤となる。また、この非イオン界面活性剤を主成分とする液体洗浄剤は洗濯後の泡ギレがよく、すすぎが非常に容易である。」（第４頁左下欄７行〜同頁右下欄２行）ことが記載されている。
（７）特開平７−９７５９９号公報（刊行物（７））
　刊行物（７）には、（Ｒ）「高級アルコール硫酸エステル塩または高級アルコールエトキシレート硫酸エステル塩を高濃度に含み、低粘度で、長期保存においても相分離することなく安定であり、しかも使用用途によって性能面等の悪影響を与えない水性界面活性剤組成物およびその製造方法」（第２頁の段落番号【０００５】）に係る発明が記載されており、さらに、そこには、（Ｓ）発明の効果として、一般にＡＳおよびＡＥＳの高濃度スラリーは、その有効成分濃度が３０〜６５％においてミドル層液晶の形をとり、粘度が１０００ポイズ以上となってハンドリング、ポンプ輸送が極めて困難となる。そこで本発明では、ＡＳ／ＡＥＳ高濃度スラリーに対して（ｂ）成分のポリエチレングリコールと（ｃ）成分のカルボン酸塩類を配合することにより、低粘度化とともに、長期保存下においても層分離することのない均一な溶液を実現した。このように本発明のＡＳ／ＡＥＳスラリーは、高濃度にあるにもかかわらず粘度が著しく低減されているため、ポンプ輸送や取扱いが容易であり、各種洗剤分野におけるＡＳおよびＡＥＳ原料として供給される。」（第３頁の段落番号【００１３】）ことが記載されている。
（８）特開平７−１２６６９０号公報（甲第３号証）
　甲第３号証には、比較例３として、（Ｔ）「表２の量で上記オキソアルコール（Ｉ）に先ずエチレンオキサイドをブロック付加させ、次いでプロピレンオキサイドをブロック付加させ、最後にエチレンオキサイドをブロック付加させた。これを界面活性剤Ｄとする。」（第３〜４頁の段落番号【００２２】）との記載があり、該オキソアルコール（Ｉ）は分子量２０２、飽和、商品名トリデカノール（協和発酵製）（第３頁の段落番号【００１５】参照）であり、表２では、界面活性剤Ｄでのオキソアルコール（Ｉ）（脂肪族アルコール）が１８７ｇ、ＥＯが１６２ｇ，２４３ｇ、ＰＯが１０７ｇ（第４〜５頁の段落番号【００２５】の表２参照）であることが記載されており、（Ｕ）該界面活性剤Ｄの流動点が良好であることや洗浄力の試験の評価も記載されている（第４〜５頁の段落番号【００２５】の表２、第５頁の段落番号【００２９】の表３、第６頁の段落番号【００３３】の表４参照）。
Ｖ．対比．判断
（１）特許法第２９条第１項第３号について
　上記３．Ｉに示したように、本件発明１での式（１）で示される化合物におけるＲは炭素数１２〜１５の直鎖のアルキル基又はアルケニル基を示すものである。
　刊行物（１）には、上記摘示事項（Ａ）、（Ｂ）、（Ｃ）に示されるように、高曇り点と低いゲル化温度という優れた物性を有する、界面活性剤として有益な、炭素数１２、１３、１４，１５の第一アルコールのほぼ等量混合物の酸化エチレン−酸化プロピレン−酸化エチレン誘導体又は炭素数１２、１３の第一アルコールのほぼ等量混合物の酸化エチレン−酸化プロピレン−酸化エチレン誘導体であって、それらの酸化エチレン、酸化プロピレンの平均付加モル数も、それぞれ、本件発明１の式（１）で規定する範囲内である誘導体（化合物混合物）が記載されており、該誘導体（化合物混合物）と水との、５０／５０ゲル温度の試験溶液（界面活性剤組成物）も記載されている。しかし、その原料の各アルコールは、いずれも、約８０％が直鎖のものである（摘示事項（Ｃ）参照）から、これをふまえて、該刊行物（１）に記載された試験溶液（界面活性剤組成物）の、本件発明１での式（５）に規定される「Ｃ」を計算すると、いずれも「Ｃ」が５０より小さいものとなり、これは本件発明１で規定する式（２）を満たすものではない。
　また、 刊行物（２）には、本件発明１での式（１）で示される化合物に類似の化合物（界面活性剤）１５部と水４部を含む界面活性剤組成物が記載されており（摘示事項（Ｇ））、それが、洗浄処理液に用いられることも記載されている（摘示事項（Ｈ））が、その本願発明１での化合物に類似の化合物である界面活性剤（式（ＩＩ’））は、いずれもＲ’（本願発明１での式（１）のＲに対応）が、イソトリデシルなどの分岐鎖のアルキル基である（摘示事項（Ｄ）、（Ｇ））から、Ｒを直鎖のアルキル基又はアルケニル基と特定する本件発明１で用いられる化合物（界面活性剤）とは、異なる化合物である。
　したがって、本件発明１は、上記刊行物（１）または（２）に記載された発明ではない。
　また、本件発明２，３は、本件発明１をさらに限定した発明であるので、上記と同じ理由により、本件発明２，３も、上記刊行物（１）または（２）に記載された発明ではない。
（２）特許法第２９条第２項について
　上記Ｖ（１）で述べたように、刊行物（１）には、本件発明１での式（１）で示される化合物を含む化合物混合物が記載されている（特に摘示事項（Ｃ）参照）が、そこには、該化合物混合物（Ｒが直鎖であるものものを約８０％含む；摘示事項（Ｃ））と水との、５０／５０ゲル温度の試験溶液試験溶液以外の高濃度の界面活性剤組成物及びその物性に関する記載はなく、特に本件発明１での式（１）で示される化合物と水分とを、本件発明１で規定する式（２）及び式（３）（式（３）は式（１）の化合物と関連するもの；即ち式（１）でのＲの炭素数；ｎ及びプロピレンオキサイドの平均付加モル数；ｙの関数である）を満足するように配合し、かつ、２５℃における粘度が１０００ｃｐ以下である界面活性剤組成物については、記載も示唆もされていない。
　同じくＶ（１）で述べたように、 刊行物（２）で用いられる化合物（界面活性剤）は、本件発明１での式（１）で示される化合物とは異なるものであるうえ、刊行物（２）には、その界面活性剤組成物の具体的粘度等物性について、何ら記載も示唆もされていない。
　また、刊行物（３）（甲第１号証）の摘示事項（Ｉ），（Ｊ）、刊行物（４）の摘示事項（Ｋ），（Ｌ）及び甲第３号証の摘示事項（Ｔ），（Ｕ）の記載から明かなように、刊行物（３）、（４）及び甲第３号証には、本件発明１での式（１）で示される化合物（界面活性剤（非イオン界面活性剤））が記載されており、それらが、低流動点を有することや、それらを配合した液体洗浄剤の洗浄力や泡に係る性能も記載されているが、それらの高濃度の界面活性剤組成物及びその物性に関する記載はなく、特に本件発明１での式（１）で示される化合物（界面活性剤）と水分とを、本件発明１で規定する式（２）及び式（３）を満足するように配合し、かつ、２５℃における粘度が１０００ｃｐ以下である界面活性剤組成物については、記載も示唆もされていない。
   刊行物（５）に記載されている染色方法での洗浄処理液に配合される式（Ｉ）で示される化合物は、「水に溶解して市販され浸水溶液の形、たとえば６０〜７０％濃度で使用することが望ましい」（摘示事項（Ｎ））と記載されているが、該化合物は、プロピレンオキサイドの付加モル数（摘示事項（Ｍ）参照）において、本件発明１での式（１）で示される化合物と異なっており、両者は異なる化合物であるうえ、刊行物（５）には、６０〜７０％濃度の組成物の具体的粘度等物性について、何ら記載も示唆もされていない。
　刊行物（６）には、衣料用液体洗浄剤に適する混合ポリアルキレングリコール型非イオン界面活性剤が記載されており（摘示事項（Ｏ）、（Ｐ））、それが、「融点（凝固点）が低く、低温でも液状であり、水溶性及び洗浄力に優れており・・・これを主成分として用いた衣料用液体洗浄剤は洗浄力に優れており・・・すなわち高界面活性剤濃度においても安定な液状であり、特に低温においても凝固や白濁を起さず・・・優れた洗浄剤となる。また、この非イオン界面活性剤を主成分とする液体洗浄剤は洗濯後の泡ギレがよく、すすぎが非常に容易である。」（摘示事項（Ｑ））ことが、記載されているが、該記載は、広範な混合ポリアルキレングリコール型非イオン界面活性剤の一般的性状を示すにとどまり、具体的に本件発明１での式（１）で示される化合物が記載されていないばかりか、そこには、該高界面活性剤濃度での粘度など具体的物性に関する記載もなく、特に本件発明１での式（１）で示される化合物（界面活性剤）と水分とを、本件発明１で規定する式（２）及び式（３）を満足するように配合し、かつ、２５℃における粘度が１０００ｃｐ以下である界面活性剤組成物については、記載も示唆もされていない。
　また、刊行物（７）には、高濃度の界面活性剤組成物において、ハンドリング（取り扱い）性を考慮し、低粘度で安定なものすることに係る発明が記載されているが（摘示事項（Ｒ）、（Ｓ））、そこでの界面活性剤は、本件発明１での式（１）で示される化合物（界面活性剤）とは、異なるものであるうえ、刊行物（７）に記載の発明は、高濃度スラリーに対して、他の成分（ポリエチレングリコールとカルボン酸塩類）を配合することにより、低粘度で安定なものとするものであって（摘示事項（Ｓ））、低粘度安定化の為の手段が、本件発明１とは、全く異なるものである。
　以上のとおりであるから、界面活性剤として既知の化合物ではあるが、そのうちの特定の化合物（本件発明１での式（１）で示される化合物）を選定し、その化合物（界面活性剤）と水分とを、本件発明１で規定する式（２）及び式（３）（式（３）は式（１）の化合物と関連するもの；即ち式（１）でのＲの炭素数；ｎ及びプロピレンオキサイドの平均付加モル数；ｙの関数である）を満足するように配合し、かつ、２５℃における粘度が１０００ｃｐ以下である界面活性剤組成物とする点について記載も示唆もされていない上記刊行物（１）〜（７）及び甲第３号から、本件発明１ないし３を導き出すことができないばかりか、それらを組み合わせても本願発明１ないし３を容易に発明することはできない。
　そして、本件発明１ないし３は、上記の如き、その特許請求の範囲の請求項１に規定される、特定の化合物（界面活性剤）と水分とを、特定の範囲で配合し、特定粘度以下である界面活性剤組成物とすることにより、高濃度においてもハンドリング性が良好で、粘度変化率が小さく、粘度安定性にもすぐれた界面活性剤組成物となるという明細書記載の効果を奏するものである。
　したがって、本件発明１ないし３は、刊行物（１）〜（７）及び甲第３号証に記載された発明に基いて当業者が容易に発明し得たものではない。
（３）特許法第２９条第１項第１号、２号及び同法第３６条第６項第２号について
　上記Ｖ（１）、（２）で述べたように、本件発明１ないし３は、刊行物（１）〜（７）及び甲第３号証に記載された発明でも、それらの記載に基いて当業者が容易なし得た発明でもないことからも明かなように、特許異議申立人が提示した甲第１号証（刊行物（３））、甲第２号証（刊行物（２））及び甲第３号証さらには上記刊行物（１）、（４）〜（７）の記載によっても、本件発明１ないし３が、本件優先権主張日前に日本国内において公然知られた発明又は公然実施された発明であるとは認められない。
　したがって、本件発明１ないし３は、特許法第２９条第１項第１号または第２号に該当する発明ではない。
　また、上記２．で示したように訂正が認められるから、本件の明細書には、特許法第３６条第６項第２号の規定に違反する記載不備はない。
ＶＩ．むすび
　以上のとおりであるから、特許異議申立ての理由及び提出した証拠方法によっては、本件発明の特許を取り消すことはできない。
　また、他に本件発明の特許を取り消すべき理由を発見しない。
　よって、結論のとおり決定する。
【異議決定日】
平成１５年１２月１６日（２００３．１２．１６）
【訂正の要旨】
審決（決定）の【理由】欄参照。
（５４）【発明の名称】
界面活性剤組成物
（５７）【特許請求の範囲】
　【請求項１】　下記式（１）で表され、特定のアルキレンオキサイド付加モル数及び付加形態を持つ平均分子量１２００以下の化合物及び水を含有する界面活性剤組成物であって、
式（１）で表される化合物の含有量と水の含有量とが下記式（２）及び（３）を満足し
　　ＲＯ−（ＥＯ）ｘ−（ＰＯ）ｙ−（ＥＯ）ｘ’−Ｈ　　　（１）
式中、Ｒは炭素数１２〜１５の
直鎖
１．０〜４．５
　　
５０≦Ｃ≦９０　　　　　　　　　（２）
　　
Ｃ≧〔１０（ｎ−ｙ）−３５〕　　（３）
上記式（２）及び（３）中、Ｃは式（５）で表される値を示し、ｎは一般式（１）におけるＲで示されるアルキル基又はアルケニル基の炭素数、ｙは前記の意味を示す。
式（５）中、Ｗａは組成物中の式（１）で表される化合物の含有量（ｗｔ％）、Ｗｂは組成物中の水の含有量（ｗｔ％）を示す。
　【請求項
２
　【請求項
３
液体洗浄剤用である請求項１又は２に記載の組成物
【発明の詳細な説明】
技術分野
　本発明は界面活性剤組成物に関し、さらに詳しくは家庭用及び産業用洗浄剤等として有用な、特定の非イオン界面活性剤を含有する、泡消えが速く、高洗浄力を有し、高濃度領域でのハンドリング性に優れた界面活性剤組成物に関するものである。
背景技術
　ポリオキシエチレン型非イオン活性剤は、古くから界面活性剤及び洗浄剤として有用なことが知られており、その物性や合成法、乳化／可溶化／洗浄といった特性についてもかなり詳細に研究され報告されている（ＮＯＮＩＯＮＩＣ　ＳＵＲＦＡＣＴＡＮＴＳ　ＰＨＹＳＩＣＡＬ　ＣＨＥＭＩＳＴＲＹ：Ｍａｒｔｉｎ　Ｊ．Ｓｃｈｉｃｋ，１９８７など）。
　このポリオキシエチレン型非イオン活性剤は、その高い洗浄力と、他のイオン性活性剤と組み合わせての使用が容易なことから、種々の組み合わせが提案されている。
　しかし、このポリオキシエチレン型非イオン活性剤は、泡立ちが高く、泡切れがおそいという性質を有しており、このような性質は、近年需要が拡大してきた自動食器洗浄機用途や工業用洗浄剤用途、さらにドラム型洗濯機用洗浄剤用途にはあまり適していない。そこで、これらの用途に適する高い洗浄力を有しながら低い起泡特性と素早い泡切れを持つ非イオン活性剤が求められるようになった。これらの要求に対しては、エチレンオキサイドに他のアルキレンオキサイド類を組み合わせて、低起泡性に特徴を出しているものが報告されている。例えば、特公昭６０−１２０００号にはエチレンオキサイド−プロピレンオキサイドのブロック付加物が提案され、特開平６−３０３８２５号には、重合分布が狭いブロック付加物が提案されている。また、特開昭４７−７８８号には、水酸基末端をアルキル基で封鎖したタイプの活性剤が提案されている。しかしながら、これらエーテル末端をプロピレンオキサイドや短鎖アルキル基等で封鎖する方法は、起泡性を抑制するものの洗浄性も著しく損なう問題を有する。
　一方、家庭用及び工業用の洗浄剤は製造時及び輸送時の省エネルギー、省資源化及び廃容器削減の観点から、より高濃度での配合が必要となってきている。
　しかしながら、洗浄剤中の非イオン性界面活性剤の含有量を増やしていくと、配合濃度のわずかな違いで洗浄剤配合物の粘度が急に増減するため、配合物の性状を一定とするために非常に高精度の計量が必要であったり、配合物の保存中に粘度が安定しにくいと言った問題がある。従って、低い起泡性／素早い泡消えを有し、高洗浄力で低粘度かつ粘度の安定した非イオン活性剤を含有する界面活性剤組成物が求められている。
　ＵＳ−Ａ　４１３４８５４には、特定のポリアルキレンオキサイド付加物を低融点の非イオン活性剤として開示している。しかしながら、この非イオン活性剤を含む界面活性剤組成物の好適な濃度についての開示はされていない。ＵＳ−Ａ　３５６７７８４は、別の特定のポリアルキレンオキサイド付加物が高曇点、低ゲル化温度の非イオン活性剤であることを開示している。しかしこの非イオン活性剤を含む高濃度界面活性剤組成物についての記載はなく、当該非イオン活性剤を含む界面活性剤組成物の粘度挙動を予測できない。また、ＪＰ−Ａ　４７−９５６１公報（＝ＵＳ−Ａ　４１１５４５７）にも別の特定のポリアルキレンオキサイド付加物の製造方法が開示され、その生成物は精練剤、染色助剤として好適とされている。
　Ｊ．Ａ．Ｏ．Ｃ．Ｓ，Ｖｏｌ．６３，Ｎｏ．９，ｐｐ１２０１−１２０８（１９８６）も同様のポリアルキレンオキサイド付加物を開示している。
発明の開示
　本発明の課題は、泡消えが速く、高洗浄力を有し、高濃度領域でのハンドリング性に優れ、配合上特殊な操作を要せず、容易に他の補助成分等と混合可能な界面活性剤組成物を提供することにある。
　本発明者らは上記ポリオキシエチレン型非イオン活性剤の不足している性能を補い、かつより性能の優れた活性剤組成物を開発するために鋭意研究を進めた結果、特定の付加形態を持つポリオキシアルキレン型非イオン活性剤と水とを特定の配合割合で混合することにより、泡消えが速く、高洗浄力を有し、高濃度領域でのハンドリング性に優れ、さらに配合特性も良好な界面活性剤組成物を見出し、本発明を完成するに到った。
　すなわち本発明は、下記一般式（１）で表される特定のアルキレンオキサイド付加モル数及び付加形態を持つ平均分子量１２００以下の化合物、及び水を含有する界面活性剤組成物であって、水と一般式（１）で表される化合物との合計量に対する一般式（１）で表される化合物の配合割合が５０重量％以上で、かつ２５℃における粘度が１０００ｃｐ以下であることを特徴とする界面活性剤組成物を提供するものである。
　　ＲＯ−（ＥＯ）ｘ−（ＰＯ）ｙ−（ＥＯ）ｘ’−Ｈ　　　（１）
〔式中、Ｒは炭素数１２〜１５の直鎖又は分岐鎖のアルキル基又はアルケニル基を示し、ＥＯはオキシエチレン基、ＰＯはオキシプロピレン基を示す。ｘ，ｘ’はエチレンオキサイドの平均付加モル数を示す１以上の数である。ｙはプロピレンオキサイドの平均付加モル数を示す０．５〜６．０の数である。尚、（ＥＯ）ｘ、（ＰＯ）ｙ、（ＥＯ）ｘ’はこの順にブロック結合している。〕
　以下、本発明の実施の形態を詳細に説明する。
　式（１）において、Ｒは好ましくは炭素数１２〜１４であり、更には直鎖のアルキル基又はアルケニル基が、洗浄力が特に高いので望ましい。
　本発明に用いられる、一般式（１）で表される平均分子量１２００以下の化合物は、式（４）
　　Ｒ−ＯＨ　　（４）
（式中、Ｒは前記の意味を示す。）
で表されるアルコールにエチレンオキサイド、次にプロピレンオキサイド、更にエチレンオキサイドを順にブロック付加させることにより得ることができる。
　式（４）で表されるアルコールとしては、炭素数１２〜１５の飽和もしくは不飽和の１級もしくは２級の直鎖又は分枝鎖のアルコールが挙げられる。その具体的な例としては、ラウリルアルコール、ミリスチルアルコール等の直鎖アルコール（花王（株）製、商品名「カルコール２０９８」及び「カルコール４０９８」等）、炭素数１２〜１５の範囲で混合された混合アルコール（花王（株）製、商品名「カルコール２４７４」等）、オキソ法やチーグラー法を用いて合成された分枝を有する炭素数１２〜１５のアルコール（協和発酵（株）製、商品名「オキソコール１２１３」及び「トリデカノール」、三菱化学（株）製、商品名「ドバノール２３」及び「ドバノール２５」、シェル化学（株）製、商品名「ネオドール２３」及び「ネオドール２５」等）等が挙げられる。
　また、これらのアルコールにアルキレンオキサイドを付加する方法としては、公知のアルコキシル化方法を用いて、触媒の存在下付加する方法が挙げられるが、本発明においてはアルキレンオキサイドの付加順序が重要であり、まずエチレンオキサイドを付加し、次にプロピレンオキサイドを付加し、さらにエチレンオキサイドを順にブロック付加する必要がある。このアルコキシル化に用いられる触媒は酸触媒であっても塩基触媒であってもいずれでも良く、また、特開平７−２２７５４０号に記載のＭｇＯ−ＺｎＯ、ＭｇＯ−ＳｎＯ、ＭｇＯ−ＴｉＯ２、ＭｇＯ−ＳｂＯ等、狭いアルキレンオキサイド付加分布（ｎａｒｒｏｗ　ｒａｎｇｅ）を与える触媒、特開平１−１６４４３７号に記載の同様のＭｇ系触媒のような選択的に狭いアルキレンオキサイド付加分布を与える触媒を用いても合成できる。
　本発明の式（１）で表される化合物のエチレンオキサイドの平均付加モル数ｘ及びｘ’はそれぞれ１以上である。好ましくはそれらの合計（ｘ＋ｘ’）が４モル以上２０モル以下、さらに好ましくは６モル以上１５モル以下である。エチレンオキサイドの平均付加モル数の合計（ｘ＋ｘ’）は上記範囲の場合により水に溶け易く組成物の粘度が低い。
　また、式（１）で表される化合物のプロピレンオキサイドの平均付加モル数ｙは、０．５モル以上６．０モル以下であり、１．０モル以上４．５モル以下が特に洗浄力が高く好ましい。プロピレンオキサイドの平均付加モル数が０．５モルに満たない場合には、粘度の変化が大きくハンドリング性が悪化し、６．０モルを越える量を付加すると、洗浄力が低下する。
　本発明の式（１）で表される化合物の平均分子量は１２００以下であり、１０００以下が好ましい。平均分子量が１２００を越えると洗浄力が低下し、また水と混合したときの粘度変化が大きくなる。
　本発明における界面活性剤組成物は、水と式（１）で表される化合物との合計量に対する式（１）で表される化合物の配合割合が５０重量％以上であり、２５℃における粘度は１０００ｃｐ以下である。この範囲において粘度の変動が少ないが、式（１）で表される化合物の含有量と水の含有量とが下記式（２）及び（３）を満足する範囲にあるとき、粘度の変動が最も少なくより好ましい。
　　５０≦Ｃ≦９０　　　　　　　　　（２）
　　Ｃ≧〔１０（ｎ−ｙ）−４０〕　　（３）
〔上記式（２）及び（３）中、Ｃは式
（Ｗａは組成物中の一般式（１）で表される化合物の含有量（ｗｔ％）、Ｗｂは組成物中の水の含有量（ｗｔ％）を示す。）
で表される値を示し、ｎは式（１）におけるＲで示されるアルキル基又はアルケニル基の炭素数、ｙは前記の意味を示す。〕
　また、上記式（３）に示されるＣの値は、Ｃ≧〔１０（ｎ−ｙ）−３５〕を満足することがより好ましい。
　また、本発明における界面活性剤組成物の２５℃における粘度のより好ましい範囲は、高濃度領域での粘度が通常の低粘度溶液の輸送に用いられるキャンドポンプもしくはマグネットポンプの使用可能な３００ｃｐ以下である。この粘度が３００ｃｐ〜１０００ｃｐの範囲でも手作業で取り扱うにはそれほど問題ではないが、通常のポンプでの輸送が難しくなり、高粘度対応型の機器を用意する必要がある。粘度が１０００ｃｐより高くなると、手作業での取り扱いも困難となり、また十分な輸送量を取るためには機器を大型化しなければならず、設備コスト面で不利益な点が多い。
　本発明の界面活性剤組成物は、本発明の効果を損なわない限りにおいて他の非イオン活性剤や、アニオン活性剤、カチオン活性剤、両性活性剤、キレート剤、殺菌剤等を含有することができ、さらに製造する界面活性剤組成物の特性を微調整するために増粘剤や減粘剤等の粘度調整剤を添加しても良い。
　本発明の界面活性剤組成物に配合される他の非イオン活性剤の例としては、アミンオキサイド類や、上記一般式（１）で表される化合物以外のポリアルキレングリコールアルキルエーテル類などが挙げられる。アニオン活性剤としては、アルカンスルホン酸塩、アルキルベンゼンスルホン酸塩、α−オレフィンスルホン酸塩、アルキル硫酸塩、アルキルエーテル硫酸塩、α−スルホ脂肪酸塩、高級脂肪酸塩などが挙げられ、カチオン活性剤としては、脂肪族アミン塩類、第四級アンモニウム塩類等が挙げられ、両性活性剤としては、ベタイン類、スルホベタイン類、アミノ酸塩類などが挙げられる。またキレート剤としては、エチレンジアミン四酢酸ソーダ、ニトリロ三酢酸ソーダなどが挙げられ、殺菌剤としては、塩化ベンザルコニウムなどが挙げられる。
　本発明の界面活性剤組成物は、泡消えが速く、高洗浄力を有し、高濃度領域でのハンドリング性に優れ、配合上特殊な操作を要せず、容易に各種洗浄補助成分と混合可能であり、液体洗浄剤として有用である。特に台所用洗剤や住居用洗剤、浴室用洗剤、衣料用洗剤などに好適である他、工業用用途の繊維精練剤、重合用乳化剤、金属脱脂剤、電子部品等の洗浄剤、分散剤、可溶化剤にも使用できる。
　次に、非イオン活性剤の合成例及び本発明の界面活性剤組成物の実施例をもって本発明を更に詳細に説明するが、本発明はこれらの実施例に限定されるものではない。
　尚、非イオン活性剤の平均分子量は以下の方法により測定した。
　即ち、合成した非イオン活性剤の水酸基価をＪＩＳ　Ｋ　００７０に従って中和滴定法で求め、得られた水酸基価から次の式に従って平均分子量を求めた。
合成例１
　　式　Ｃ１２Ｈ２５Ｏ−（ＥＯ）５−（ＰＯ）４−（ＥＯ）５−Ｈで表される化合物の合成
　エチレンオキサイド用とプロピレンオキサイド用の２つの計量槽の付いた５リットルの回転攪拌式オートクレーブ中にラウリルアルコール（「商品名カルコール２０９８」、花王（株）製）を５００ｇ、水酸化カリウムを３．０ｇ仕込み、窒素置換を行った後１１０℃に昇温し、４０ｔｏｒｒで１時間脱水を行った。次に１５０℃に昇温し、エチレンオキサイドを３．５ｋｇ／ｃｍ２の圧力で５９２ｇオートクレーブ中に導入し、圧力が低下して一定になるまで反応させた後、１２０℃に冷却してプロピレンオキサイド６２４ｇをオートクレーブ中に３．５ｋｇ／ｃｍ２の圧力で導入し、エチレンオキサイドの場合と同様に圧力が低下し一定になるまで反応させた。その後、再び１５０℃に昇温し、エチレンオキサイドを５９２ｇ導入し、圧力が低下して一定になるまで反応させた。反応終了後、温度を低下させて合成したサンプルを抜き出し、約２．３ｋｇの目的のポリアルキレングリコールラウリルエーテル（平均分子量８６０）を得た。
合成例２
　　式　Ｃ１２Ｈ２５Ｏ−（ＥＯ）３−（ＰＯ）２−（ＥＯ）３−Ｈで表される化合物の合成
　合成例１と同じ量のラウリルアルコールと触媒を仕込み、合成例１と同様の手順によってエチレンオキサイド３５５ｇ、プロピレンオキサイド３１２ｇ、さらにエチレンオキサイド３５５ｇを反応させ、約１．５ｋｇの目的のポリアルキレングリコールラウリルエーテル（平均分子量５６６）を得た。
合成例３
　　式　（Ｃ１２Ｈ２５，Ｃ１４Ｈ２９）Ｏ−（ＥＯ）５−（ＰＯ）２−（ＥＯ）５−Ｈで表される化合物の合成
　合成例１のラウリルアルコールの代わりにラウリルアルコールとミリスチルアルコールの７２．４／２７．６重量比の混合アルコール（「商品名カルコール２４７４」、花王（株）製）を用いて、合成例１と同様の手順でエチレンオキサイド５７２ｇ、プロピレンオキサイド３０２ｇ、エチレンオキサイド５７２ｇを順次反応させて、目的のポリアルキレングリコールラウリルミリスチルエーテル（平均分子量７５６）を約２．０ｋｇ得た。
合成例４
　　式　Ｃ１２Ｈ２５Ｏ−（ＥＯ）７−（ＰＯ）４−（ＥＯ）７−Ｈで表される化合物の合成
　合成例１と同様の手順によって、ラウリルアルコールに先ずエチレンオキサイド８２９ｇを反応させ、次いでプロピレンオキサイド６２５ｇを反応させ、さらにエチレンオキサイドを８２９ｇ反応させて、約２．７ｋｇの目的のポリアルキレングリコールラウリルエーテル（平均分子量１０３５）を得た。
合成例５
　　式　Ｃ１２Ｈ２５Ｏ−（ＥＯ）５−（ＰＯ）２−（ＥＯ）５−Ｈで表される化合物の合成
　合成例１と同様の手順によって、ラウリルアルコールに先ずエチレンオキサイド５９２ｇを反応させ、次いでプロピレンオキサイド３１２ｇを反応させ、さらにエチレンオキサイド５９２ｇを反応させて、約２ｋｇの目的のポリアルキレングリコールラウリルエーテル（平均分子量７４４）を得た。
合成例６
　　式　Ｃ１０Ｈ２１Ｏ−（ＥＯ）２−（ＰＯ）２−（ＥＯ）３−Ｈで表される化合物（比較例化合物）の合成
　合成例１と同様の手順によって、デシルアルコールに先ずエチレンオキサイド２７９ｇを反応させ、次いでプロピレンオキサイド３６８ｇを反応させ、さらにエチレンオキサイドを４１８ｇ反応させて、約１．５ｋｇの目的のポリアルキレングリコールデシルエーテル（平均分子量４９５）を得た。
合成例７
　　式　Ｃ１２Ｈ２５Ｏ−（ＥＯ１０／ＰＯ２）−Ｈで表される化合物（比較化合物）の合成
　合成例１と同じ量のラウリルアルコールと触媒を仕込み、合成例１と同じ手順で事前にエチレンオキサイド１１８４ｇとプロピレンオキサイド３１２ｇを混合させたものを反応させ、約２．０ｋｇの目的のポリアルキレングリコールラウリルエーテル（平均分子量７４３）を得た。
合成例８
　　式　Ｃ１２Ｈ２５Ｏ−（ＥＯ）６−Ｈで表される化合物（比較化合物）の合成
　合成例１と同様の手順によってラウリルアルコールにエチレンオキサイド７１０ｇのみを反応させて、目的のポリエチレングリコールラウリルエーテル（平均分子量４５０）を得た。
合成例９
　　式　Ｃ１２Ｈ２５Ｏ−（ＰＯ）４−（ＥＯ）１０−Ｈで表される化合物（比較化合物）の合成
　合成例１と同様の手順によって、ラウリルアルコールに先ずプロピレンオキサイド６２４ｇを反応させ、次いでエチレンオキサイド１１８４ｇを反応させて、目的のポリアルキレングリコールラウリルエーテル（平均分子量８５８）を得た。
合成例１０
　　式　Ｃ１４Ｈ２９Ｏ−（ＥＯ）１０−（ＰＯ）２−（ＥＯ）１２−Ｈで表される化合物（比較化合物）の合成
　合成例１と同様の手順によって、ミリスチルアルコールに先ずエチレンオキサイド１０２９ｇを反応させ、次いでプロピレンオキサイド２７１ｇを反応させ、さらにエチレンオキサイド１２３５ｇを反応させ、約３．０ｋｇの目的のポリアルキレングリコールミリスチルエーテル（平均分子量１３００）を得た。
実施例１〜４及び比較例１〜９
　表１に示す非イオン活性剤及び水を、それぞれの含有量が、表１に示すＣの値になるように調整して界面活性剤組成物を得た。
　得られた界面活性剤組成物のハンドリング性、粘度安定性及び泡消え性を下記の方法により評価した。結果を表１に示す。
＜ハンドリング性及び粘度安定性の評価方法＞
　Ｅ型粘度計（東機産業（株）製：ＶＩＳＣＯＮＩＣ−ＥＭＤ）を用いて、２５℃における各界面活性剤組成物の粘度を測定した。
　ハンドリング性の評価基準は、粘度３００ｃｐ以下のものを◎、３００ｃｐを超え１０００ｃｐ以下のものを○、１０００ｃｐを超えたものを×とした。
　また、次の式に従って粘度変化率△ηを定義し、これにより粘度の濃度依存性（粘度安定性）を下記基準で評価した。
（式中、η１は濃度Ｃ％での２５℃での粘度、η２は濃度（Ｃ＋１）％での２５℃での粘度を示す。Ｃは前記の意味を示す。）
　粘度安定性の評価基準は、３以下のものを◎、３を超え５以下のものを○、５を越えるものを×とした。
＜泡消え性の評価方法＞
　ＪＩＳ　Ｋ　３３６２に記載の試験方法に従って、各界面活性剤組成物中の活性剤の濃度０．１％の水溶液を調製し、２５℃で試験直後及び５分後の泡の量を測定し、泡消えの速さについて比較を行った。
　評価の基準は、５分後の泡の量／直後の泡の量の比が、０以上０．２５以下のものを◎、０．２５を超え０．５０以下のものを○、０．５０を超え０．７５以下のものを△、０．７５を超え１．００以下のものを×とした。
　表１から明らかなように、本発明の界面活性剤組成物（実施例１〜４）は、ハンドリング性、粘度安定性及び泡消え性において優れている。一方、本発明の範囲外の粘度のもの（比較例１）、水と一般式（１）で表される化合物との合計量に対する一般式（１）で表される化合物の配合割合が本発明の範囲外のもの（比較例８）、本発明の範囲外の非イオン活性剤のもの（比較例２〜７）はハンドリング性、粘度安定性又は泡消え性に問題があった。
　なお比較例９はハンドリング性、粘度安定性、泡消え性は本発明と同等のレベルであるが、以下に示すように洗浄力が劣る。
実施例５〜８及び比較例１０〜１４
　表２に示す非イオン活性剤及び水を、それぞれの含有量が、表２に示すＣの値になるように調整して界面活性剤組成物を得た。
　得られた界面活性剤組成物の洗浄性能を下記の方法により評価した。結果を表２に示す。
＜洗浄性の評価方法＞
（１）皮脂汚れ汚染布の作成
　１０×１０ｃｍ木綿布に２ｇの下記組成よりなるモデル皮脂汚れを均一に塗布して皮脂汚れ汚染布（人工汚染布）を作成した。
＊モデル皮脂汚れ組成
　　綿実油　　　　　　　　　　　６０重量％
　　オレイン酸　　　　　　　　　１０重量％
　　パルミチン酸　　　　　　　　１０重量％
　　液体及び固体パラフィン　　　１０重量％
（２）洗浄条件及び評価方法
　評価用洗剤水溶液１リットルに１０×１０ｃｍの皮脂汚れ汚染布（人工汚染布）を５枚入れ、ターゴトメーターにて１００ｒｐｍで次の条件で洗浄した。洗浄条件は次の通りである。
＊洗浄条件
　　洗浄時間　　１０分
　　洗浄剤濃度（界面活性剤有効分として）０．０３重量％
　　水の硬度　　４°ＤＨ
　　水温　　　　２０℃
　　すすぎ　　　水道水にて５分間
　洗浄力は汚染前の原布及び洗浄前後の汚染布の５５０ｎｍにおける反射率を自記色彩計（日本電色（株）製Ｚ−３００Ａ）にて測定し、次式によって洗浄率（％）を求めた（表には５枚の測定平均洗浄率を示す。）。
　表２から明らかなように、本発明の界面活性剤組成物（実施例５〜８）はいずれも比較例１０〜１４と同程度又はそれ以上の高い洗浄率を与えた。また平均分子量が本発明の範囲外の非イオン界面活性剤を使用した比較例１３、１４は洗浄性が低かった。